(57)【要約】【課題】建築物の屋根または天面に形成された開口巾寸法が４ｍ以上の開口部を開閉する水平引シャッター装置であって、水平部のスラットのたわみを抑制することができる水平引きシャッター装置を提供することが課題である。【解決手段】ガイドレールを支持する躯体から開口部に向かって突きでるようにブラケット１２を前記開口部の端に設け、該ブラケットの先端側に前記スラット扉体のガイドレール側から離れた両端部を担ぐように支持するローラ又はホィール１３を設けたことを特徴とする。【選択図】図３
2007231614.tif 000002
【特許請求の範囲】
【請求項１】
建築物、工作物の屋根または天面に形成された開口巾寸法が４ｍ以上の開口部を開閉する水平引シャッター装置であって、多数のスラットを連続するように連係させて前記開口部を開閉できるようにしたスラット扉体と、前記スラット扉体の両端部を案内するガイドレールと、巻取りシャフトと、巻取りシャフトを回動させる電動機を有する巻取り装置とを備えた水平引シャッター装置において、
ガイドレールを支持する躯体から開口部に向かって突きでるように前記開口部の端にブラケットを設け、該ブラケットの先端側に前記スラット扉体のガイドレール側から離れた両端部を担ぐように支持するローラ又はホィールを設けたことを特徴とするシャッター装置。
【請求項２】
前記ローラ又はホィールは、前記ガイドレールに沿って複数基配列されていることが特徴である請求項１に記載のシャッター装置。
【請求項３】
請求項１または請求項２の発明において、各スラットの前記ローラ又はホィールと接する裏面側にガイドプレートを取付けて、スラットの上下動を抑制することを特徴とするシャッター装置。
【請求項４】
前記開口部は、壁面に設けられた開口部と連続するように設けられ、かつ前記壁面の開口部にもスラット扉体の両端部を案内するガイドレールを設けて、前記スラット扉体が前記壁面の開口部に設けたガイドレールに沿って垂直方向に開閉されるとともに、前記天面の開口部に設けたガイドレールに沿って水平方向に開閉されるようにした請求項１〜３のいずれか１項に記載のシャッター装置。
【発明の詳細な説明】
【技術分野】
【０００１】
本発明は、建築物等の天面の大開口部に設けるシャッター装置に関し、特に水平引のできるシャッター装置に関する。
【背景技術】
【０００２】
倉庫、貯蔵槽等の屋根または天面に開口部を設けて、その開口部に水平引のできるシャッター装置を設けることがある。
しかし上記開口部に使用する水平引シャッター装置は、一般の重量シャッターと同じように、使われるスラットの厚みが通常２０ｍｍ程度である。そのため、スラットの曲げ強度を考慮して、上記開口部の開口巾寸法は大きくても４ｍが限度である。なお、開口巾寸法が４ｍを越えた場合、スラットのたわみのため（図６参照）、作動時にスラットが巻取り側のまぐさ（呑込み口）に当たり、接触抵抗が大きくなって円滑に作動しないという不具合が発生したり、たわんでガイドレールから抜ける、スラット端に取付けたローラが傾きローラが片減りする（図８）、見栄えが悪い等、不具合が発生しやすい。
【０００３】
一方、上記開口部の開口巾寸法として４ｍ以上を実現するために、スラットの厚みを２０ｍｍ以上に大きくする（曲げ強度を大きくする）という考えもある。しかしスラット重量が増えるのでガイドレールもそれに応じて、図９のように強化する（補強をする）必要を生ずる。さらに、スラット巻径や巻取りボックスが大きくなってしまう（図１０参照）等の不具合の発生及び大容量の駆動モータが必要となって、不経済である。
【発明の開示】
【発明が解決しようとする課題】
【０００４】
従来、工場の塗装、乾燥ブース、廃棄物処理施設のブース、資材倉庫等に、被加工部品、被処理物品、保管部品などを搬入するときは、搬入手段として、クレーン、大形車両等の機械力を使用してブース内に搬入することが行われる。
従ってブースの屋根や天面に設ける開口部においては、上記部品のクレーン等による搬入・搬出作業を行いやすい最大限の開口を確保しながら、この開口部を確実に閉鎖することができるシャッター装置が求められていた。しかし上記ブース等の開口巾寸法は、たわみ量の制限から水平部のスラットの断面性能により決定されてしまう。
この発明は、スラットのたわみを抑制することができ、または厚みの薄いスラットを使用しても、開口巾寸法が４ｍ以上の大開口部を開閉することができるシャッター装置を提供することが課題である。
【課題を解決するための手段】
【０００５】
上記課題を達成するために、請求項１の発明は、建築物、工作物の屋根または天面に形成された開口巾寸法が４ｍ以上の開口部を開閉する水平引シャッター装置であって、多数のスラットを連続するように連係させて前記開口部を開閉できるようにしたスラット扉体と、前記スラット扉体の両端部を案内するガイドレールと、巻取りシャフトと、巻取りシャフトを回動させる電動機を有する巻取り装置とを備えた水平引シャッター装置において、
ガイドレールを支持する躯体から開口部に向かって突きでるようにブラケットを前記開口部の端に設け、該ブラケットの先端側に前記スラット扉体のガイドレール側から離れた両端部を担ぐように支持するローラ又はホィールを設けたことを特徴とする。
【０００６】
請求項２の発明は、前記ローラ又はホィールは、前記ガイドレールに沿って複数基配列されていることが特徴である。
【０００７】
請求項３の発明は、請求項１または請求項２の発明において、各スラットの前記ローラ又はホィールと接する裏面側にガイドプレートを取付けて、スラットの上下動を抑制することが特徴である。
【０００８】
請求項４の発明は、前記開口部は、壁面に設けられた開口部と連続するように設けられ、かつ前記壁面の開口部にもスラット扉体の両端部を案内するガイドレールを設けて、前記スラット扉体が前記壁面の開口部に設けたガイドレールに沿って垂直方向に開閉されるとともに、前記天面の開口部に設けたガイドレールに沿って水平方向にも開閉されるようにした請求項１〜３のいずれか１項に記載のシャッター装置である。
【発明の効果】
【０００９】
本発明の水平引シャッター装置は、スラットのたわみを抑制することができ、または厚みの薄いスラットを使用しても、開口巾寸法が４ｍ以上の大開口部を開閉することができる。よって、クレーン等による搬入・搬出作業を行いやすい最大限の開口を確保しながら、この開口部を確実に閉鎖することができるシャッター装置が提供できる。
【００１０】
また本発明によると、スラット扉体が前記壁面の開口部に設けたガイドレールに沿って垂直方向に開閉されるとともに、前記天面の開口部に設けたガイドレールに沿って水平方向にも開閉される、垂直部と水平部の両方を備えるシャッター装置が提供でき、垂直部分のシャッター巻取り装置をなくし、垂直部と水平部とを統合させ、垂直部と水平部が交わる位置に生ずるデッドスペースを無くすことができる効果を有する。
【００１１】
なお本明細書でいう水平引シャッターとは、厳密な意味でスラットが水平に開閉作動するものだけでなく、斜め方向に開閉作動するものを包含している。
【発明を実施するための最良の形態】
【００１２】
以下、本発明を添付図面に基づいて説明する。図面は本発明を適用した水平引シャッターを模式的に示し、図１（ａ）は正面図、同（ｂ）は側断面図である。図２は本発明の要部を説明図である。図３は要部の拡大正面図、図４は要部の拡大側面図である。図５は前記シャッタースラットの断面模式図である。
【００１３】
符号１０で示すブースは、例えば、大型車両による廃棄物の搬入や長尺部材（例えば、Ｈ型鋼材、溝型鋼等）の塗装、乾燥ブース等を示している。
本発明のシャッター装置１は、前記ブース開口を開閉するために用いられる例であり、構造的には、スラット扉体７が前記ブースの壁面の開口部に設けたガイドレール２に沿って垂直方向に開閉され、その後、天面の開口部１１に設けたガイドレール３に沿って水平方向に開閉されるように構成されている。
因みに符号４は、シャッターの巻取り装置であり、巻取りシャフト５と、巻取りシャフトを回動させる電動機６を有する。
【００１４】
ブース１０の開口部は、クレーン、大型車両等による搬入・搬出作業を行いやすいように、開口巾寸法が４ｍ以上の大開口部となっている。本発明のシャッター装置１は、上述のように最大限の開口を確保しながら、その開口部を確実に閉鎖することができるように、ガイドレール２、３を介して屈曲可能になっている。
【００１５】
図２、図３にも示したように、ブース天面側のガイドレール３を支持する躯体から開口部１１に向かって突きでるようにブラケット１２、１２を前記開口部の端に設ける。該ブラケット１２の先端側に、前記スラット扉体６のガイドレール側から離れた両端部を担ぐように支持するローラ又はホィール１３、１３を設ける。ローラ又はホィール１３の設置位置は、躯体から開口部１１側に向かって１ｍ程度が好ましい。
【００１６】
前記ローラ又はホィール１３、１３は、図４に示すように前記ガイドレール３に沿い複数基設けられており、多数のスラットを連続するように連係させて前記開口部を開閉できるようにしたスラット扉体７が、作動時に部分的に沈みこまない（上下動しない）ように構成されている。なおローラ又はホィール１３、１３は駆動源を有しないフリーローラとなっている。
【００１７】
なお、前記ローラ又はホィールと接する各スラットの裏面側にガイドプレート８を取付け、スラットの上下動を抑制する構造にすることが好ましい。
そのほか、本発明は、以上の形態例に何ら制約されるものではなく、請求項に記載の範囲で種々変形可能なものである。
【図面の簡単な説明】
【００１８】
【図１】本発明の水平引シャッターの模式図で（ａ）は正面図、（ｂ）は側断面図である。
【図２】要部説明図である。
【図３】要部拡大正面図である。
【図４】要部拡大側面図である。
【図５】シャッタースラットの断面模式図である。
【図６】スラットのたわみの説明図である。
【図７】スラットが巻取り側のまぐさに接触した説明図である。
【図８】スラット端に取付けたローラが傾いたときの説明図である。
【図９】ガイドレールを補強した説明図である。
【図１０】スラット巻径や巻取りボックスが大きくなってしまう状態を示す説明図である。
【符号の説明】
【００１９】
１  シャッター装置
２  ガイドレール
３  ガイドレール
４  巻取り装置
５  巻取りシャフト
６  電動機
７  スラット扉体
８  ガイドプレート
１０  ブース
１１  天面開口部
１２  ブラケット
１３  ローラ又はホィール
１４  躯体
【図１】
2007231614.tif 000003
【図２】
2007231614.tif 000004
【図３】
2007231614.tif 000005
【図４】
2007231614.tif 000006
【図５】
2007231614.tif 000007
【図６】
2007231614.tif 000008
【図７】
2007231614.tif 000009
【図８】
2007231614.tif 000010
【図９】
2007231614.tif 000011
【図１０】
2007231614.tif 000012
【手続補正書】
【提出日】平成18年3月23日(2006.3.23)
【手続補正１】
【補正対象書類名】図面
【補正対象項目名】全図
【補正方法】変更
【補正の内容】
【図１】
2007231614.tif 000013
【図２】
2007231614.tif 000014
【図３】
2007231614.tif 000015
【図４】
2007231614.tif 000016
【図５】
2007231614.tif 000017
【図６】
2007231614.tif 000018
【図７】
2007231614.tif 000019
【図８】
2007231614.tif 000020
【図９】
2007231614.tif 000021
【図１０】
2007231614.tif 000022